(57)【要約】【課題】外気温度と室内温度との温度差、或いは複数の室内間の温度差を制御することにより快適性を向上する。【解決手段】空調管理システムは、室外機３１〜３４と、室外機に接続され第１空間１１を空調する室内機４１，４２と、室外機に接続され第１空間とは異なる空間１２〜１８を空調する室内機４３〜５１を備える。また、第１空間の温度を検知する第１空間温度検知器２１と、第１空間とは異なる空間の温度を検知する第２空間温度検知器２０，２２〜２６と、第１空間と前記第１空間とは異なる空間の温度差を検知し、前記温度差が目標温度差と異なる場合には前記目標温度差に近づけるように、第１空間または第１空間とは異なる空間の室内機の能力を制御する制御装置を備える。【選択図】図２
2017003134.tif 000002
【特許請求の範囲】
【請求項１】
室外機と、前記室外機に接続され第１空間を空調する室内機と、室外機に接続され前記第１空間とは異なる空間を空調する室内機を備える空調管理システムであって、
前記第１空間の温度を検知する第１空間温度検知器と、
前記第１空間とは異なる空間の温度を検知する第２空間温度検知器と、
前記第１空間と前記第１空間とは異なる空間の温度差を検知し、前記温度差が目標温度差と異なる場合には前記目標温度差に近づけるように、前記第１空間または前記第１空間とは異なる空間の室内機の能力を制御する制御装置を備えることを特徴とする空調管理システム。
【請求項２】
請求項１に記載の空調管理システムにおいて、
前記第１空間とは異なる空間は前記室外機が設置されている屋外空間であり、
前記第２空間温度検知器は前記室外機が設置されている屋外空間の温度を検知する外気温度検知器であり、
前記制御装置は、前記第１空間温度検知器で検知された温度と前記第２空間温度検知器で検知された外気温度との温度差を検知し、前記温度差が目標温度差と異なる場合には前記目標温度差に近づけるように、前記第１空間を空調する室内機の能力を制御することを特徴とする空調管理システム。
【請求項３】
請求項１に記載の空調管理システムにおいて、
前記第１空間とは異なる空間は、前記第１空間とは異なる空間を空調する室内機を備える空間であり、
前記制御装置は、前記第１空間温度検知器で検知された温度と前記第２空間温度検知器で検知された温度との温度差を検知し、前記温度差が目標温度差と異なる場合には前記目標温度差に近づけるように、前記第１空間または前記第１空間とは異なる空間の室内機の能力を制御することを特徴とする空調管理システム。
【請求項４】
室外機と、前記室外機に接続された室内機を備える空調管理システムであって、
前記室外機が設置されている外気の温度を検知する外気温度検知器と、
前記室内機が設置されている空間の温度を検知する室内温度検知器と、
前記外気温度検知器で検知された外気温度と、前記室内温度検知器で検知された室内温度との温度差を検知し、前記温度差が目標温度差と異なる場合には前記目標温度差に近づけるように、前記室内機の能力を制御する制御装置を備えることを特徴とする空調管理システム。
【請求項５】
室外機と、前記室外機に接続され第１空間を空調する室内機と、室外機に接続され第２空間を空調する室内機を備える空調管理システムであって、
前記第１空間の温度を検知する第１空間温度検知器と、
前記第２空間の温度を検知する第２空間温度検知器と、
前記第１空間と前記第２空間との温度差を検知し、前記温度差が目標温度差と異なる場合には前記目標温度差に近づけるように、前記第１空間または前記第２空間の室内機の能力を制御する制御装置を備えることを特徴とする空調管理システム。
【請求項６】
請求項５に記載の空調管理システムにおいて、
前記室外機が設置されている外気の温度を検知する外気温度検知器を備え、
前記制御装置は、前記外気温度検知器で検知された外気温度と、前記第１または第２の空間の温度を検知する前記第１空間温度検知器または前記第２空間温度検知器で検知された温度との温度差を検知し、前記温度差が目標温度差と異なる場合には前記目標温度差に近づけるように、前記第１または第２の空間を空調する室内機の能力を制御することを特徴とする空調管理システム。
【請求項７】
請求項５に記載の空調管理システムにおいて、
前記室外機及び前記複数の室内機を制御する集中コントローラを備え、前記制御装置は前記集中コントローラに備えられていることを特徴とする空調管理システム。
【請求項８】
請求項５に記載の空調管理システムにおいて、
前記室外機には３以上の複数の空間をそれぞれ個別に空調する３台以上の室内機が接続され、
前記制御装置は、予め定めた第１空間と、他の複数の空間のうちの１つを選択して、前記第１空間と選択された他の空間（第２空間）の温度差を検知し、この温度差が目標温度差と異なる場合には前記目標温度差に近づけるように、前記選択された他の空間（第２空間）を空調する室内機の能力を制御することを特徴とする空調管理システム。
【請求項９】
請求項８に記載の空調管理システムにおいて、
前記室外機が設置されている外気の温度を検知する外気温度検知器を備え、
前記制御装置は、前記外気温度検知器で検知された外気温度と、前記第１空間温度検知器で検知された温度との温度差を検知し、前記温度差が目標温度差と異なる場合には前記目標温度差に近づけるように、前記第１空間を空調する室内機の能力を制御することを特徴とする空調管理システム。
【請求項１０】
請求項１〜９の何れか１項に記載の空調管理システムにおいて、
前記目標温度差の値は、予め決めた期間毎、前記外気温度検知器で検知される外気温度毎、或いは室内機を運転する運転モードの少なくとも何れかに応じて所定の値に決められていることを特徴とする空調管理システム。
【請求項１１】
請求項１〜９の何れか１項に記載の空調管理システムにおいて、
前記目標温度差の値は許容範囲を有することを特徴とする空調管理システム。
【請求項１２】
請求項１〜９の何れか１項に記載の空調管理システムにおいて、
前記制御装置は、前記室内機を制御するための温度範囲を予め決めておき、前記温度範囲の上限値或いは下限値を超えないように前記室内機の能力を制御することを特徴とする空調管理システム。
【請求項１３】
請求項１〜９の何れか１項に記載の空調管理システムにおいて、
前記室外機には外気温度を検知する外気温度検知器を備え、前記室内機には室内温度を検知する室内温度検知器を備えており、これらの温度検知器を用いて前記各温度差を求めることを特徴とする空調管理システム。
【発明の詳細な説明】
【技術分野】
【０００１】
本発明は、空間の温度を制御する空調管理システムに関し、特に複数空間の温度をそれぞれ制御する複数の室内機を備える空調管理システムとして好適なものである。
【背景技術】
【０００２】
複数空間の温度をそれぞれ制御する空調管理システムとしては特許文献１（特開２０１３−１５３００号公報）に記載されたものなどがある。  
この特許文献１のものには、住宅における各部の温度を検出する複数の温度センサと、住宅における各部の温度差に基づいてヒートショックの危険性を判断し、住宅内での移動先に至るまでの経路上における温度差がヒートショックの危険性を抑制する温度差となるよう温度調整部を制御するものが記載されている。
【先行技術文献】
【特許文献】
【０００３】
【特許文献１】特開２０１３−１５３００号公報
【発明の概要】
【発明が解決しようとする課題】
【０００４】
上記特許文献１のものには、住宅内での移動先に至るまでの経路上における温度差がヒートショックの危険性を抑制する温度差となるように温度調整部を制御することについては記載されているが、住宅内などでの快適性を向上することについての配慮が充分に為されていない。
【０００５】
即ち、特許文献１のものでは、ヒートショックの危険性を抑制する温度差以内に制御するものであるため、前記温度差以内に制御されるものの、その温度差は大きくなったり小さくなったりする。このため、外気温度と室内温度との温度差が大きい場合、暑い時に働く副交感神経と、冷えた時に働く交感神経のバランスが崩れて、体調不良になりかねず、快適性が低下する。また、外気温度と室内温度との温度差が小さすぎる場合にも、快適性が低下する。
【０００６】
本発明の目的は、外気温度と室内温度との温度差、或いは複数の室内間の温度差を制御することにより快適性を向上できる空調管理システムを得ることにある。
【課題を解決するための手段】
【０００７】
上記目的を達成するため、本発明は、室外機と、前記室外機に接続され第１空間を空調する室内機と、室外機に接続され前記第１空間とは異なる空間を空調する室内機を備える空調管理システムであって、前記第１空間の温度を検知する第１空間温度検知器と、前記第１空間とは異なる空間の温度を検知する第２空間温度検知器と、前記第１空間と前記第１空間とは異なる空間の温度差を検知し、前記温度差が目標温度差と異なる場合には前記目標温度差に近づけるように、前記第１空間または前記第１空間とは異なる空間の室内機の能力を制御する制御装置を備えることを特徴とする。
【０００８】
本発明の他の特徴は、室外機と、前記室外機に接続された室内機を備える空調管理システムであって、前記室外機が設置されている外気の温度を検知する外気温度検知器と、前記室内機が設置されている空間の温度を検知する室内温度検知器と、前記外気温度検知器で検知された外気温度と、前記室内温度検知器で検知された室内温度との温度差を検知し、前記温度差が目標温度差と異なる場合には前記目標温度差に近づけるように、前記室内機の能力を制御する制御装置を備えることにある。
【０００９】
本発明の更に他の特徴は、室外機と、前記室外機に接続され第１空間を空調する室内機と、室外機に接続され第２空間を空調する室内機を備える空調管理システムであって、前記第１空間の温度を検知する第１空間温度検知器と、前記第２空間の温度を検知する第２空間温度検知器と、前記第１空間と前記第２空間との温度差を検知し、前記温度差が目標温度差と異なる場合には前記目標温度差に近づけるように、前記第１空間または前記第２空間の室内機の能力を制御する制御装置を備えることにある。
【発明の効果】
【００１０】
本発明によれば、外気温度と室内温度との温度差、或いは複数の室内間の温度差を目標温度差に制御できるので、快適性を向上できる空調管理システムを得ることができる効果が得られる。
【図面の簡単な説明】
【００１１】
【図１】本発明の空調管理システムの実施例１を示す全体構成図である。
【図２】本発明の実施例１における室外機及び室内機の建物における配置構成を示す平面図である。
【図３】本発明の空調管理システムの実施例１における制御を説明するフローチャートである。
【発明を実施するための形態】
【００１２】
以下、本発明の空調管理システムの具体的実施例を、図面を用いて説明する。なお、図１及び図２において同一符号を付した部分は同一部分を示している。
【実施例１】
【００１３】
まず、本発明の空調管理システムの実施例１の全体構成を図１及び図２により説明する。
図１において、１は空調管理システムで、この図１に示す空調管理システム１には、３台の室外機３１〜３３と、室外機３１に冷媒配管で接続された２台の室内機４１，４２、室外機３２に冷媒配管で接続された２台の室内機４３，４４、室外機３３に冷媒配管で接続された２台の室内機４５，４６が図示されている。
【００１４】
しかし、室外機の数は３台には限られず、１台でも２台以上の複数台でも良く、本実施例１では図２に示すように、上記３台の室外機３１〜３３及び上記６台の室内機４１〜４６の他に、前記室外機３３に冷媒配管で接続された室内機４７，４８、及び室外機３４とこの室外機３４に冷媒配管で接続された３台の室内機４９〜５１も備えられている。  
なお、図１及び図２においては、前記冷媒配管については図示していない。
【００１５】
上記４台の室外機３１〜３４及び上記１１台の室内機４１〜５１は制御配線６により互いに接続されており、更に前記制御配線６には、上記空調管理システム１を制御する集中コントローラ（制御装置）２が設けられている。また、室内機４１，４２からなる室内機グループ８１の前記室内機に制御配線７で接続され、前記室内機４１，４２の制御監視機能を備えたリモコン９１、及び室内機４３，４４からなる室内機グループ８２の前記室内機に制御配線７で接続され、室内機４３，４４の制御監視機能を備えたリモコン９２が設けられている。なお、他の室内機グループ８３や室内機グループ８４〜８６（図２参照）にもリモコンを備えるようにしても良い。
【００１６】
このように、本実施例では、室外機と室内機を備える複数の空気調和機で構成されている空調システムを備え、この空調システムを管理する空調管理システム１における集中コントローラ２と、室外機３１〜３４、室内機４１〜５１及びリモコン９１，９２とは、制御配線６及び制御配線７を介して互いに通信可能に接続されている。
【００１７】
前記集中コントローラ２は、複数の前記室内機４１〜５１をグルーピングする機能を備えており、本実施例では上述したように、空調機グループ８１〜８６にグルーピングしている。これにより空調機グループ８１〜８６を１つの制御監視対象として認識している。
【００１８】
なお、各室外機３１〜３４の内の少なくとも１台（この例では室外機３１）には、屋外空間１０の温度、即ち外気温度（室外温度）を検知するための外気温度検知器（第２空間温度検知器）２０が設けられている。また、各空調機グループ８１〜８６における少なくとも１台の室内機（この例では室内機４１，４３，４５，４７，４９，５１）には、各空調機グループ８１〜８６が設けられている室内空間１１〜１８の温度（室内温度）を検知するための室内温度検知器２１〜２６（２１：第１空間温度検知器、２２〜２６：第２空間温度検知器）が設けられている。前記室内温度検知器２１〜２６としては、室内機への吸込温度を検知する吸込温度センサを用いると良い。なお、前記吸込温度センサ以外に、各室内空間の温度を検知するために別の温度センサを、例えば前記リモコン９１，９２などに設けて室内温度検知器として用いても良い。
【００１９】
前記室内空間１４と１５は男女用のトイレなど、空間としては仕切られているが、制御対象としては同一空調機グループ８４として制御される。前記室内空間１６と１７は会議室などパーテーション等で仕切ることが可能な空間であり、この場合も制御対象としては同一空調機グループ８４として制御されるようにしている。
【００２０】
前記集中コントローラ２は、前記室外機３１〜３４、前記室内機４１〜５１及び前記各空調機グループ８１〜８６の制御監視機能を備え、また前記制御配線６，７を介して、前記外気温度検知器２０で検知された外気温度を取得する機能と、前記室内温度検知器２１〜２６などで検知された前記室内空間１１〜１８の温度を取得する機能を備えている。
【００２１】
また、前記集中コントローラ２は、前記室内空間１１〜１８の内どの室内空間を第１空間とし、また前記屋外空間１０及び前記室内空間１１〜１８の中からどの空間を第２空間とするかの選択機能を備えている。更に、前記集中コントローラ２は、前記選択した第１空間と第２空間の目標温度差を設定する機能と、前記第１空間の温度と前記第２空間の温度との温度差を検知（算出）する機能と、この検知された温度差と前記目標温度差とを比較して、前記温度差が前記目標温度差と異なる場合には前記目標温度差に近づけるように、前記第１空間または前記第２空間の室内機の能力を制御する機能を備える。
【００２２】
例えば、前記第２空間が屋外空間であれば、前記第１空間の室内機の能力を制御し、前記第２空間が前記第１空間とは異なる空間を空調する室内機を備える空間であれば、前記第１空間または前記第２空間の室内機の能力を制御して、前記選択した第１空間と第２空間の温度差が前記目標温度差となるようにする機能を備えている。
【００２３】
上述した第１、第２の空間の温度差を目標温度差にする制御（以下、温度連動制御という）は、前記第１空間を例えば室内空間１１とし、前記第２空間を前記第１空間とは異なる空間である屋外空間１０、または他の室内空間１２〜１８の中から１以上の任意数ｎを決めて、順次上述した温度連動制御を行う。また、前記集中コントローラ２は、前記任意数ｎの温度連動制御を行った後、予め決めた監視時間Ｔを経過後に再び同様の温度連動制御を行う。前記監視時間Ｔについても前記集中コントローラ２で設定する。前記各空間１０〜１８間の目標温度差も予め決めておき前記集中コントローラ２に記憶させておく。前記目標温度差の値は、予め決めた期間毎に、または前記外気温度検知器で検知される外気温度（例えば、予め定めた外気温度の範囲）毎に、或いは室内機を運転する運転モード（冷房運転モードや暖房運転モード）などに応じて所定の値に予め決めておくと良い。
【００２４】
第１空間を居室などの屋内空間１１とし、第２の空間を屋外空間１０とする場合、特に冬季（暖房運転時）では＋側に大きな値（例えば５℃）とし、夏季（冷房運転時）では−側に大きな値（例えば−３℃）にすると良い。前記第１空間及び第２空間の何れも室内空間とする場合には、前記目標温度差は０℃か小さな値にすると良い。更に、前記目標温度差の値は、「５±１℃」や「−３±１℃」などのように許容範囲を有する値とすることが好ましい。
【００２５】
上記のように構成することにより、制御対象となる室内空間を決めて制御すれば、上記設定内容に従い、制御対象空間における空調能力の調整を自動的に行うことができ、制御対象の室内空間を快適な温度に制御することができる。
【００２６】
なお、前記集中コントローラ（制御装置）２は、前記室内機を制御するための温度範囲を予め決めておき、前記温度範囲の上限値或いは下限値を超えないように前記室内機の能力を制御することが望ましい。例えば、制御対象空間の冷房運転を行う場合には、１９〜３０℃の範囲で制御し、暖房運転を行う場合には１７〜３０℃の範囲で制御する。具体例を述べると、第１空間が室内空間１１（居室）、第２空間が屋外空間１０の場合で前記第１空間の暖房運転を行う場合、目標温度差を５℃とすると、外気温度が１２℃未満の場合には、第１空間の制御目標温度は１７℃よりも低い値になる。しかし、前記暖房運転時の温度範囲１７〜３０℃内で制御されるため、温度範囲の下限値である１７℃より低い温度には制御されず、１７℃に維持されるから、外気温度に拘わらず室内温度を適正な値に維持することが可能となる。前記第１空間の冷房運転を行う場合も同様に、温度範囲の上限値である３０℃より高い温度には制御されず、３０℃に維持される。
【００２７】
前記各室内機４１〜５１による空調能力の調整は、設定温度の変更、風量の変更、風向の変更、運転／停止の変更、または室外機３１〜３４の能力制御値の変更のうちの少なくとも何れかの制御により行う。
【００２８】
なお、上述した本実施例の制御を行う制御装置は、本実施例では前記室外機及び前記複数の室内機を制御する集中コントローラに備えられている例で説明したが、前記制御機能は前記集中コントローラに備えられているものには限定されず、別に設置する制御装置や前記リモコン９１，９２などに上述した本実施例の制御機能を備えるようにしても良い。
【００２９】
次に、図２に示す室外機及び室内機の建物における配置構成の場合を例にとり、上述した本実施例の空調管理システムにおける制御を具体的に説明する。  
図２は、屋外空間１０、居室などの室内空間１１，１２、廊下等の共用部の室内空間１３、トイレ、会議室、更衣室などの小部屋となる室内空間１４〜１８を示している。
【００３０】
まず、第１空間を室内空間１１とし、第２空間を屋外空間１０とした場合の制御について説明する。前記第１空間に対応する室内機は室内機グループ８１（室内機４１，４２）、第１空間温度検知器は室内温度検知器２１とする。なお、前記第１空間は、室内空間１２〜１８（対応する室内機は室内機グループ８２〜８６（室内機４３〜５１））の中から選択しても良い。前記第２空間としては屋外空間１０を選択しているので、この屋外空間１０の温度を検知する外気温度検知器は、室外機３１〜３４に備えられている外気温度検知器の中から選択するが、この例では室外機３１に備えられている外気温度検知器２０を選択し、第２空間温度検知器とする。これらの選択は集中コントローラ（制御装置）２（図１参照）で行う。
【００３１】
前記集中コントローラ２は、第１空間（室内空間１１）を空調する室内機４１に備えられている室内温度検知器２１により検知された温度を第１空間温度として取得し、室外機３１に備えられている外気温度検知器２０により検知された温度を第２空間温度として取得する。前記集中コントローラ２は、前述した監視時間Ｔ毎の間隔で前記第１空間１１と前記第２空間１０の温度差を監視する。
【００３２】
前記第１空間１１の温度（第１空間温度）と前記第２空間１０の温度（第２空間温度）の温度差が、予め定めている目標温度差と一致した場合、現在状態を維持する。前記第１空間温度と前記第２空間温度の温度差が、前記目標温度差と異なる場合には前記目標温度差に近づけるように、前記第１空間１１を空調する室内機４１，４２の能力を制御する。
【００３３】
例えば、前記第１空間１１の暖房運転を行っている場合、予め決めた目標温度差を５℃とすると、前記温度差が５℃よりも小さい場合、前記温度差が５℃となるように前記第１空間１１の温度を上昇させるように室内機４１，４２を制御する。前記温度差が５℃よりも大きい場合には、前記温度差が５℃となるように前記第１空間１１の温度を下降させるように室内機４１，４２を制御する。
【００３４】
前記第１空間１１の冷房運転を行っている場合には、予め決めた目標温度差を−３℃とすると、前記温度差が−３℃よりも小さい場合（例えば、第１空間温度が２５℃、第２空間温度が３０℃の場合、温度差は−５℃となり−３℃より小さくなる）、前記温度差が−３℃となるように前記第１空間１１の温度を上昇させるように室内機４１，４２を制御する。前記温度差が−３℃よりも大きい場合（例えば、第１空間温度が２５℃、第２空間温度が２７℃の場合、温度差は−２℃となり−３℃より大きくなる）には、前記温度差が−３℃となるように前記第１空間１１の温度を下降させるように室内機４１，４２を制御する。
【００３５】
次に、第１空間を室内空間１１とし、第２空間を他の室内空間（室内機を備える室内空間）１２〜１８とした場合の制御について説明する。前記第１空間１１に対応する室内機は室内機グループ８１（室内機４１，４２）で、第１空間温度検知器は室内温度検知器２１である。なお、前記第１空間は、他の室内空間１２〜１８の中から選択しても良い。前記第２空間としては、例えば廊下などの室内空間１３を選択する。この第２空間１３に対応する室内機は室内機グループ８３（室内機４５，４６）で、この第２空間１３の温度を検知する室内温度検知器としては、室内機４５または室内機４６に備えられている室内温度検知器を選択するが、この例では室内機４５に備えられている室内温度検知器２３を選択し、第２空間温度検知器とする。これらの選択は前記集中コントローラ（制御装置）２で行う。
【００３６】
前記集中コントローラ２は、第１空間１１を空調する室内機４１に備えられている室内温度検知器２１により検知された温度を第１空間温度として取得し、室内機４５に備えられている室内温度検知器２３により検知された温度を第２空間温度として取得する。前記集中コントローラ２は、前述した監視時間Ｔ毎の間隔で前記第１空間１１と前記第２空間１３の温度差を監視する。
【００３７】
前記第１空間１１の温度（第１空間温度）と前記第２空間１３の温度（第２空間温度）の温度差が、予め定めている目標温度差と一致した場合、現在状態を維持する。前記第１空間温度と前記第２空間温度の温度差が、前記目標温度差と異なる場合には前記目標温度差に近づけるように、前記第１空間１１を空調する室内機４１，４２或いは前記第２空間１３を空調する室内機４５，４６の能力を制御する。
【００３８】
例えば、前記第１空間１１及び第２空間１３を暖房運転している場合、予め決めた目標温度差を２℃とすると、前記温度差が２℃よりも小さい場合、前記温度差が２℃となるように前記第２空間の温度を下降させるように室内機４５，４６を制御する。前記温度差が２℃よりも大きい場合には、前記温度差が２℃となるように前記第２空間１３の温度を上昇させるように室内機４５，４６を制御する。なお、第２空間１３の温度を制御する代わりに第１空間の温度を制御するようにしても良いが、この場合には上記とは逆の制御となる。また、第１空間１１の温度は屋外空間１０との関係で適切な温度に制御されているので、この第１空間１１の温度を基準にして第２空間１３の温度を制御することが好ましい。
【００３９】
前記第１空間１１及び第２空間１３を冷房運転している場合には、前記目標温度差を例えば−２℃にして上記と同様の制御をする。
【００４０】
上述したように第１空間（室内空間１１）と室内空間１３の温度連動制御を終了後、次に前記第１空間１１に対する第２空間として他の室内空間１２、１４〜１８を適宜選択し、順次同様の制御を行う。なお、制御対象となる第２空間が第１空間１１と同様に居室である場合や会議室である場合には前記目標温度差は０℃にすることが好ましい。また、廊下、トイレ、更衣室等の場合には前記目標温度差は暖房運転時にはプラスの値に、冷房運転時にはマイナスの値にする。
【００４１】
但し、この目標温度差は、第１空間温度から第２空間温度を差し引いた場合の値であり、暖房運転時には第２空間温度の方が低くなるので温度差はプラスの値となり、冷房運転時には第２空間温度の方が高くなるので温度差はマイナスとなる。なお、第２空間温度から第１空間温度を差し引いた値を使用して制御することも可能であり、この場合には、前記温度差のプラス、マイナスは逆になり、目標温度差のプラス、マイナスも逆になる。
【００４２】
次に、本発明の空調管理システムの実施例１における制御フローを図２も参照しつつ図３のフローチャートを用いて説明する。
図３に示すフローチャートに沿った制御を開始する前に、予め図３に示す初期設定内容に記載されている初期設定を集中コントローラ２（図１参照）で行う。即ち、ここでは、第１空間の温度をＡｉ、第２空間の温度をＢｉとしており、前記温度Ａｉ，Ｂｉは、それぞれの空間に設けられている第１空間温度検知器、第２空間温度検知器で検知される温度である。空調対象空間は第１空間または第２空間であり、例えば第２空間として屋外空間１０を選択した場合には、屋外空間１０に対しては空調できないので、空調対象は第１空間（屋内空間）となる。第１、第２の両空間とも室内機を有する屋内空間であれば、第１、第２のどちらの空間の温度を制御しても良い。目標温度差はここではＣｉとしており、制御対象となる第１空間と第２空間の目標温度差を予め決めておく。制御対象となる第１空間と第２空間の組合せについても、室内空間１１と屋外空間１０、室内空間１１と１２、室内空間１１と１３、室内空間１１と１４など、制御対象としたい空間の組合せを予め決めておき、その制御対象となる組合せの数をｎとする。制御対象となる組合せの数ｎが決まれば、ｉの最大数はｎとなる。前記制御対象空間の組合せ毎に前記目標温度差Ｃｉを設定しておく。また、予め決めた制御対象空間の全てについて、図３のフローチャートに沿った温度連動制御を実施後、再び同様の温度連動制御の実施を開始するまでの時間を監視時間Ｔとして設定しておく。
【００４３】
上記の設定を完了後、図３に沿った制御を行う。  
温度連動制御が開始されると、まずステップＳ１０１で、「ｉ＝０」とし、ステップＳ１０２に進み、「ｉ＝ｉ＋１」とした後、ステップＳ１０３では第１空間温度Ａｉ及び第２空間温度Ｂｉを第１空間温度検知器及び第２空間温度検知器で検知された値から取得する。例えば、ｉが１のときの制御対象空間が、第１空間が室内空間１１、第２空間が屋外空間１０である場合、第１空間温度検知器は室内温度検知器２１、第２空間温度検知器は外気温度検知器２０となり、これらの温度検知器で検知された温度の値を取得する。
【００４４】
次に、ステップＳ１０４に移り、第１空間温度Ａｉ（Ａ１）と第２空間温度Ｂｉ（Ｂ１）の温度差（Ａｉ−Ｂｉ）を算出し、この温度差の値と予め決めた目標温度差Ｃｉ（Ｃ１）を比較する。算出温度差の値と目標温度差が一致していればステップＳ１１１に進む。前記算出温度差の値よりも目標温度差の値が大きい（算出温度差＜目標温度差）場合、ステップＳ１０５に進み、前記算出温度差の値よりも目標温度差の値が小さい（算出温度差＞目標温度差）場合にはステップＳ１０８に進む。
【００４５】
例えば、第１空間を冷房運転している場合で、目標温度差Ｃｉが−３℃、第１空間温度Ａｉが２５℃、第２空間温度Ｂｉが３０℃の場合であれば、「２５−３０＜−３」となるので、ステップＳ１０５に進む。また、第１空間温度Ａｉが２５℃、第２空間温度Ｂｉが２７℃の場合には「２５−２７＞−３」となるので、ステップＳ１０８に進む。なお、第１空間温度Ａｉが２５℃、第２空間温度Ｂｉが２８℃の場合には「２５−２８＝−３」となるので、ステップＳ１１１に進む。
【００４６】
ステップＳ１０５では、温度を調整すべき空調対象空間が第１空間か否かを判定する。空調対象空間が第１空間であればステップＳ１０６に進み、空調対象空間が第１空間でない場合（第２空間の場合）にはステップＳ１０７に進む。この例では、第２空間を屋外空間１０としており、空調対象空間ではないので、ステップＳ１０６に進み、第１空間の温度Ａｉを上昇させるように室内機グループ８１（室内機４１，４２）を制御する。この室内機の制御は前記集中コントローラ２により前記目標温度差Ｃｉに近づけるように行われる。その後、ステップＳ１１１に進む。
【００４７】
なお、この例では第２空間を屋外空間１０としたが、第２空間として室内機を有する他の室内空間を選択している場合には、上記ステップＳ１０５において、空調対象空間は第１空間でも第２空間でも良いので、どちらを空調対象空間にするかは予め決めておく。第２空間を空調対象空間とした場合には第２空間の温度Ｂｉを下降させるように第２空間を空調する室内機或いは室内機グループを制御する。その後、ステップＳ１１１に進む。
【００４８】
前記ステップＳ１０８に進んだ場合には、温度を調整すべき空調対象空間が第１空間か否かを判定し、第１空間であれば、ステップＳ１０９に進んで、第１空間の温度Ａｉを下降させる空調制御を行い、その後ステップＳ１１１に進む。空調対象空間が第２空間であれば、ステップＳ１１０に進んで、第２空間の温度Ｂｉを上昇させる空調制御を行い、その後ステップＳ１１１に進む。
【００４９】
ステップＳ１１１では、ｉが予め決めた制御対象空間の組合せ数ｎとなったかどうかを判定する。ｉがｎに達していない場合には、ステップＳ１０２に戻り、「ｉ＝ｉ＋１」として、即ちこの場合にはｉを２として、次の制御対象空間の組合せ、例えば第１空間を室内空間１１、第２空間を室内空間１２とし、予め決めた目標温度差Ｃｉ（この場合にはＣ２）を用いて、上述したステップＳ１０３〜Ｓ１１１を同様に実施する。なお、この場合には、ｉが２であり、第１空間が室内空間１１、第２空間が室内空間１２であるから、第１空間温度検知器は室内温度検知器２１、第２空間温度検知器は室内温度検知器２２となり、これらの温度検知器で検知された温度の値をＡｉ，Ｂｉとして取得する。
【００５０】
第１、第２の空間共に室内機を有する室内空間である場合には、空調対象空間としてどちらを選択しても良いが、第１空間（室内空間１１）は、屋外空間１０との関係で、適切な温度に制御されているので、この第１空間１１の温度を基準にして、第２空間の温度を制御することが好ましい。
【００５１】
予め決めた制御対象空間の組合せ数ｎについて上記ステップＳ１０２〜Ｓ１１１を全て実施すると、前記ステップＳ１１１で「ｉ＝ｎ」となるので、ステップＳ１１２に進み、予め決めた監視時間Ｔが経過したか否かを判定する。ここで、前記監視時間Ｔを経過するとステップＳ１０１に戻って、再びステップＳ１０１〜Ｓ１１１を実施する。以後、経過時間Ｔ毎に上記ステップＳ１０１〜Ｓ１１１を繰り返す。
【００５２】
なお、上述した説明では冷房運転時について説明したが、暖房運転時にも図３に示すフローを同様に実施できる。なお、冷房運転時には第２空間である外気温度が第１空間である室内温度よりも高いので、室内温度を外気温度よりも低くするため、前記目標温度差はマイナスの値としている。しかし、暖房運転時には第２空間である外気温度が第１空間である室内温度よりも低くなるので、室内温度を外気温度よりも高くするため、前記目標温度差はプラスの値とする。
【００５３】
また、上記ステップＳ１０４で算出温度差（Ａｉ−Ｂｉ）が目標温度差と異なる場合には、ステップＳ１０６、１０７、１０９、１１０において、第１空間または第２空間の温度を上昇させたり、下降させる制御を行うが、ある温度範囲を超える制御は行われないように予め設定しておく。例えば、室温が、冷房運転時であれば１９〜３０℃の範囲、暖房運転時であれば１７〜３０℃の範囲を超える制御は為されないように、前記集中コントローラ２で設定しておく。
【００５４】
一例を述べると、暖房運転時で、目標温度差Ｃｉが５℃、第１空間の温度Ａｉが２０℃、第２空間（屋外空間１０）の温度Ｂｉが７℃の場合、算出温度差（Ａｉ−Ｂｉ）は１３℃となり、目標温度差Ｃｉ（５℃）の方が小さくなるので、ステップＳ１０８、１０９へと進み、第１空間の温度を２０℃よりも下降させるが、第１空間の温度はその下限値である１７℃よりも低くなるようには制御されない。
【００５５】
上述したように、本実施例によれば、室外機と、前記室外機に接続され第１空間を空調する室内機と、室外機に接続され前記第１空間とは異なる空間を空調する室内機を備える空調管理システムにおいて、前記第１空間の温度を検知する第１空間温度検知器と、前記第１空間とは異なる空間の温度を検知する第２空間温度検知器と、前記第１空間と前記第１空間とは異なる空間の温度差を検知し、前記温度差が目標温度差と異なる場合には前記目標温度差に近づけるように、前記第１空間または前記第１空間とは異なる空間の室内機の能力を制御する制御装置を備えているので、外気温度と室内温度との温度差、或いは複数の室内間の温度差を目標温度差に自動的に制御できる。従って、快適性を向上できる空調管理システムを得ることができ、体に優しい室温を保つことができる。また、冷房病などになるのを防止することも可能となり、他の室内空間との温度差も自動的に適切な温度差にできるから、建物内での人の移動に対しても快適な温度環境を保つことができ、ヒートショック対策も可能となる。
【００５６】
なお、本発明は上述した実施例に限定されるものではなく、様々な変形例が含まれる。また、上記した実施例は本発明を分かりやすく説明するために詳細に説明したものであり、必ずしも説明した全ての構成を備えるものに限定されるものではない。
【符号の説明】
【００５７】
１：空調管理システム、２：集中コントローラ（制御装置）、
３１〜３４：室外機、４１〜５１：室内機、
６，７：制御配線（６：集中コントローラ、室外機、室内機間の制御配線、７：室内機、リモコン間の制御配線）、
８１〜８６：室内機グループ、９１，９２：リモコン、
１０：屋外空間、１１〜１８：室内空間（１１，１２：居室などの室内空間、１３：廊下など共用スペースの室内空間、１４〜１８：トイレ、会議室、更衣室などの小部屋の室内空間）、
２０：外気温度検知器（第２空間温度検知器）、
２１：室内温度検知器（第１空間温度検知器）、
２２〜２６：室内温度検知器（第２空間温度検知器）。
【図１】
2017003134.tif 000003
【図２】
2017003134.tif 000004
【図３】
2017003134.tif 000005